(57)【要約】【課題】  所有者が十分に使用できないという事態を回避しながらも、所有者が使用しないときには所有者以外の者が有効利用することができる無線中継装置を提供する。【解決手段】  基地局との間で通信を行うための第１の無線通信部１と、移動局との間で通信を行うための第２の無線通信部２と、第１の無線通信部１と第２の無線通信部２とをそれぞれ制御して移動局と基地局との間の中継を行う制御部３と、移動局のＩＤが格納された記憶部４とを備える。制御部３は、位置登録信号が第２の無線通信部２に受信されると、位置登録信号を送信した移動局のＩＤを記憶部４に格納されたＩＤと照合する。そして、位置登録信号を送信した移動局のＩＤに一致するＩＤが記憶部４に格納されていた場合、所定時間の間は、ＩＤが記憶部４に格納されていない移動局に対しては基地局との間で無線信号を中継しない。【選択図】図１
2006060485.tif 000002
【特許請求の範囲】
【請求項１】
公衆網に接続された基地局とそれぞれ固有のＩＤを有する移動局との間で無線通信を行う無線通信システムに用いられ、
基地局と無線通信する第１の無線通信手段と、移動局と無線通信する第２の無線通信手段と、第１及び第２の無線通信手段を制御して中継のための処理を行う制御手段とを備え、基地局と移動局との一方から送信された無線信号を他方に中継する無線中継装置において、
移動局のＩＤを格納する記憶手段を備え、制御手段は、基地局に対する位置登録のための位置登録信号を第２の無線通信手段が受信したときには、前記位置登録信号を基地局に中継するとともに、前記位置登録信号を送信した移動局のＩＤを記憶手段に格納されたＩＤと照合し、位置登録信号を送信した前記移動局のＩＤに一致するＩＤが記憶手段に格納されていた場合には、所定時間が経過するまで、ＩＤが記憶手段に格納されていない移動局と基地局との間で無線信号を中継しないことを特徴とする無線中継装置。
【請求項２】
公衆網に接続された基地局とそれぞれ固有のＩＤを有する移動局との間で無線通信を行う無線通信システムに用いられ、
基地局と無線通信する第１の無線通信手段と、移動局と無線通信する第２の無線通信手段と、第１及び第２の無線通信手段を制御して中継のための処理を行う制御手段とを備え、基地局と移動局との一方から送信された無線信号を他方に中継する無線中継装置において、
移動局のＩＤを格納する記憶手段を備え、制御手段は、ＩＤが記憶手段に格納されていない移動局と基地局との間で無線信号を中継している間に、基地局との間での通信の確立を要求する発呼信号を第２の無線通信手段が受信したときには、前記発呼信号を送信した移動局のＩＤを記憶手段に格納されたＩＤと照合し、発呼信号を送信した前記移動局のＩＤに一致するＩＤが記憶手段に格納されていた場合には、第２の無線通信手段を制御し、無線信号を中継されていた前記移動局に対して、他の無線中継装置又は基地局への接続の変更を要求するハンドオーバー信号を送信させるとともに、発呼信号を送信した前記移動局と基地局との間で無線信号の中継を開始することを特徴とする無線中継装置。
【請求項３】
記憶部は複数のＩＤを格納可能であって、記憶部に格納された各ＩＤには優先順位が設定され、制御手段は、ＩＤが記憶手段に格納された移動局と基地局との間で無線信号を中継している間に、基地局との間での通信の確立を要求する発呼信号を第２の無線通信手段が受信したときには、前記発呼信号を送信した移動局のＩＤを記憶手段に格納されたＩＤと照合し、発呼信号を送信した前記移動局のＩＤに一致するＩＤが、無線信号を中継されていた前記移動局のＩＤよりも高い優先順位で記憶手段に格納されていた場合には、制御手段は、第２の無線通信手段を制御し、無線信号を中継されていた前記移動局に対して、他の無線中継装置又は基地局への接続の変更を要求するハンドオーバー信号を送信させるとともに、発呼信号を送信した前記移動局と基地局との間で無線信号の中継を開始することを特徴とする請求項２記載の無線中継装置。
【請求項４】
制御手段は、ＩＤを記憶手段に格納されていない移動局から送信された所定の登録信号が第２の無線通信手段に受信された場合、登録信号を送信した移動局のＩＤを記憶手段に格納することを特徴とする請求項１又は請求項２記載の無線中継装置。
【請求項５】
制御手段は、移動局から送信された所定の登録信号が第２の無線通信手段に受信された場合、登録信号を送信した移動局のＩＤを記憶手段に格納するとともに、登録信号の内容に応じて前記ＩＤの優先順位を設定することを特徴とする請求項３記載の無線中継装置。
【発明の詳細な説明】
【技術分野】
【０００１】
本発明は、無線通信システムにおいて移動局と基地局との間で無線信号を中継する無線中継装置に関するものである。
【背景技術】
【０００２】
従来から、公衆網に接続された基地局と移動局との間で無線通信を行うＰＨＳ（Ｐｅｒｓｏｎａｌ  Ｈａｎｄｙｐｈｏｎｅ  Ｓｙｓｔｅｍ）のような無線通信システムにおいて、基地局の電波が届きにくい例えば屋内のような場所で通信を行うために、移動局と基地局との間で無線信号を中継する無線中継装置が提供されている。
【０００３】
この種の無線中継装置は、基地局の無線信号が届きにくい場所で活動する個人又は組織が、通信を確実に行えるように、設置のためのコストを支払って配設することが多い。しかし、無線中継装置が中継可能な移動局の数は有限であるから、全ての移動局が無線中継装置を無制限に使用可能とした場合、設置のためのコストを支払った者（以下、「所有者」と呼ぶ。）以外の者が使用中だと、所有者が使用することができないことがあり得る。そこで、移動局のＩＤが格納される記憶手段を備え、記憶手段に格納されたＩＤを有する特定の移動局に対してのみ中継を行う無線中継装置が提供されている（例えば、特許文献１参照）。すなわち、所有者が使用する移動局のＩＤを予め記憶手段に格納しておくことにより、所有者以外による使用を排除して所有者が確実に無線中継装置を使用することができる。
【特許文献１】特開２００３−２３４６９４号公報
【発明の開示】
【発明が解決しようとする課題】
【０００４】
しかし、上記のように、記憶手段に格納されたＩＤを有する特定の移動局に対してのみ中継を行う構成とすると、例えば、所有者が無線中継装置を長期にわたって使用しないときや、所有者が無線中継装置を使用する頻度が低いときであっても、所有者以外の者が全く使用できないというように、無線中継装置を有効利用することができないという問題がある。
【０００５】
一方、全ての移動局が無制限に使用可能な無線中継装置も提供されている。この種の無線中継装置であれば、所有者以外の者も所有者と同様に使用可能であるから、無線中継装置を最大限に有効利用することができる。
【０００６】
しかし、先に述べたように、無線中継装置が中継可能な移動局の数は有限であるから、無線中継装置を全ての移動局が無制限に使用可能とした場合、所有者がコストを支払って主に自ら使用するために無線中継装置を配設した場合であっても、所有者が支払ったコストに見合う程度に十分に無線中継装置を使用できない可能性があるという問題があった。
【０００７】
本発明は上記事由に鑑みて為されたものであり、その目的は、所有者が十分に使用できないという事態を回避しながらも、所有者が使用しないときには所有者以外の者が有効利用することができる無線中継装置を提供することにある。
【課題を解決するための手段】
【０００８】
請求項１の発明は、公衆網に接続された基地局とそれぞれ固有のＩＤを有する移動局との間で無線通信を行う無線通信システムに用いられ、基地局と無線通信する第１の無線通信手段と、移動局と無線通信する第２の無線通信手段と、第１及び第２の無線通信手段を制御して中継のための処理を行う制御手段とを備え、基地局と移動局との一方から送信された無線信号を他方に中継する無線中継装置において、移動局のＩＤを格納する記憶手段を備え、制御手段は、基地局に対する位置登録のための位置登録信号を第２の無線通信手段が受信したときには、前記位置登録信号を基地局に中継するとともに、前記位置登録信号を送信した移動局のＩＤを記憶手段に格納されたＩＤと照合し、位置登録信号を送信した前記移動局のＩＤに一致するＩＤが記憶手段に格納されていた場合には、所定時間が経過するまで、ＩＤが記憶手段に格納されていない移動局と基地局との間で無線信号を中継しないことを特徴とする。
【０００９】
この発明によれば、ＩＤが記憶手段に格納された移動局の位置登録信号が第２の無線通信手段に受信されてから所定時間以内であれば、ＩＤが記憶手段に格納された移動局に対して確実に無線信号が中継されるから、所有者が十分に使用できないという事態を回避することができる。また、所定時間の経過後はＩＤが記憶手段に格納されていない移動局でも使用可能であるから、所有者が使用しないときには所有者以外の者が有効利用することができる。
【００１０】
請求項２の発明は、公衆網に接続された基地局とそれぞれ固有のＩＤを有する移動局との間で無線通信を行う無線通信システムに用いられ、基地局と無線通信する第１の無線通信手段と、移動局と無線通信する第２の無線通信手段と、第１及び第２の無線通信手段を制御して中継のための処理を行う制御手段とを備え、基地局と移動局との一方から送信された無線信号を他方に中継する無線中継装置において、移動局のＩＤを格納する記憶手段を備え、制御手段は、ＩＤが記憶手段に格納されていない移動局と基地局との間で無線信号を中継している間に、基地局との間での通信の確立を要求する発呼信号を第２の無線通信手段が受信したときには、前記発呼信号を送信した移動局のＩＤを記憶手段に格納されたＩＤと照合し、発呼信号を送信した前記移動局のＩＤに一致するＩＤが記憶手段に格納されていた場合には、第２の無線通信手段を制御し、無線信号を中継されていた前記移動局に対して、他の無線中継装置又は基地局への接続の変更を要求するハンドオーバー信号を送信させるとともに、発呼信号を送信した前記移動局と基地局との間で無線信号の中継を開始することを特徴とする。
【００１１】
この発明によれば、ＩＤが記憶手段に格納された移動局に対する無線信号の中継を、ＩＤが記憶手段に格納されていない移動局に対する無線信号の中継よりも優先させることになるから、所有者が十分に使用できないという事態を回避することができる。また、ＩＤが記憶手段に格納された移動局から発呼信号が送信されないときにはＩＤが記憶手段に格納されていない移動局に対しても無線信号が中継されるから、所有者が使用しないときには所有者以外の者が有効利用することができる。
【００１２】
請求項３の発明は、請求項２の発明において、記憶部は複数のＩＤを格納可能であって、記憶部に格納された各ＩＤには優先順位が設定され、制御手段は、ＩＤが記憶手段に格納された移動局と基地局との間で無線信号を中継している間に、基地局との間での通信の確立を要求する発呼信号を第２の無線通信手段が受信したときには、前記発呼信号を送信した移動局のＩＤを記憶手段に格納されたＩＤと照合し、発呼信号を送信した前記移動局のＩＤに一致するＩＤが、無線信号を中継されていた前記移動局のＩＤよりも高い優先順位で記憶手段に格納されていた場合には、制御手段は、第２の無線通信手段を制御し、無線信号を中継されていた前記移動局に対して、他の無線中継装置又は基地局への接続の変更を要求するハンドオーバー信号を送信させるとともに、発呼信号を送信した前記移動局と基地局との間で無線信号の中継を開始することを特徴とする。
【００１３】
この発明によれば、ＩＤが記憶部に保持された移動局の間で、優先順位による差をつけることが可能となる。
【００１４】
請求項４の発明は、請求項１又は請求項２の発明において、制御手段は、ＩＤを記憶手段に格納されていない移動局から送信された所定の登録信号が第２の無線通信手段に受信された場合、登録信号を送信した移動局のＩＤを記憶手段に格納することを特徴とする。
【００１５】
この発明によれば、移動局のＩＤを容易に記憶手段に格納することができる。
【００１６】
請求項５の発明は、請求項３の発明において、制御手段は、移動局から送信された所定の登録信号が第２の無線通信手段に受信された場合、登録信号を送信した移動局のＩＤを記憶手段に格納するとともに、登録信号の内容に応じて前記ＩＤの優先順位を設定することを特徴とする。
【００１７】
この発明によれば、移動局のＩＤの記憶手段への格納と優先順位の設定とを容易に行うことができる。
【発明の効果】
【００１８】
本発明によれば、制御手段は、第２の無線通信手段に受信された位置登録信号を送信した移動局のＩＤと一致するＩＤが記憶手段に格納されていた場合は、所定時間が経過するまではＩＤが記憶手段に格納されていない移動局と基地局との間で無線信号を中継しない。又は、ＩＤが記憶手段に格納されていない移動局と基地局との間で無線信号を中継している間に第２の無線通信手段に受信された発呼信号を送信した移動局のＩＤと一致するＩＤが記憶手段に格納されていた場合には、第２の無線通信手段を制御し、他の無線中継装置又は基地局への接続の変更を要求するハンドオーバー信号を無線信号を中継されていた前記移動局へ送信させるとともに、発呼信号を送信した前記移動局と基地局との間で無線信号の中継を開始する。したがって、ＩＤが記憶手段に格納された移動局に対する無線信号の中継を、ＩＤが記憶手段に格納されていない移動局に対する無線信号の中継よりも優先させることになる。すなわち、所有者が用いる移動局のＩＤを予め記憶部に格納しておけば、所有者が十分に使用できないという事態を回避することができる。また、所定時間の経過後や、ＩＤが記憶手段に格納された移動局からの発呼信号が受信されないときには、ＩＤが記憶手段に格納されていない移動局でも使用可能であるから、所有者が使用しないときには所有者以外の者が有効利用することができる。
【発明を実施するための最良の形態】
【００１９】
以下、本発明を実施するための最良の形態について、無線通信システムとしてＰＨＳ（Ｐｅｒｓｏｎａｌ  Ｈａｎｄｙｐｈｏｎｅ  Ｓｙｓｔｅｍ）に本発明を適用した場合を例に挙げ、図面を参照しながら説明する。
【００２０】
（実施形態１）
本実施形態が適用されるＰＨＳは、図２に示すように、管理センタ（図示せず）にそれぞれ公衆網ＮＷを介して接続された複数の基地局ＣＳ１〜ＣＳ３と、それぞれＩＤを有する移動局ＰＳ１〜ＰＳ３との間で無線通信を行うものである。そして、本実施形態は、図１に示すように、基地局ＣＳ１との間で通信を行うための第１の無線通信部１と、移動局ＰＳ１〜ＰＳ３との間で通信を行うための第２の無線通信部２と、第１の無線通信部１と第２の無線通信部２とをそれぞれ制御して移動局ＰＳ１〜ＰＳ３と基地局ＣＳ１との間の中継を行う制御部３と、制御部３を動作させるプログラムが格納された記憶部４と、各部に供給する電源を生成する電源部５とを備える。移動局ＰＳ１〜ＰＳ３及び基地局ＣＳ１〜ＣＳ３の動作は、第２世代コードレス電話システム標準規格〔ＲＣＲ＿ＳＴＤ−２８  ４．０版、社団法人電波産業界発行〕に記載されている公衆用規定に準じている。基地局ＣＳ１〜ＣＳ３及び移動局ＰＳ１〜ＰＳ３の構成並びに動作については上記標準規格に規定されているように従来周知であるから説明を省略する。また、各無線通信部１，２はそれぞれ送受信用のアンテナ（図示せず）及びモデム（図示せず）を備え、第１の無線通信部１は基地局ＣＳ１から見て移動局ＰＳ１〜ＰＳ３と同様に動作し、第２の無線通信部２は移動局ＰＳ１〜ＰＳ３から見て基地局ＣＳ１と同様に動作する。
【００２１】
本実施形態の基本的な動作について説明する。第２の無線通信部２は、基地局ＣＳ１から定期的に送信され第１の無線通信部１に受信された報知信号を送信する。移動局ＰＳ１〜ＰＳ３は、受信された報知信号の強度が十分に高ければ、報知信号を送信した基地局ＣＳ１〜ＣＳ３との通信が可能であると判定し、該基地局Ｃ１〜Ｃ３に対して位置登録信号を送信する。以下の例では、第１の無線通信部１に受信される報知信号を送信する基地局ＣＳ１の通信可能範囲Ｚ１の外であって、無線中継装置ＲＳによって中継された前記基地局ＣＳ１の報知信号が十分に高い強度で受信される範囲Ｚ２内に、３台の移動局ＰＳ１〜ＰＳ３が位置している場合を考える。また、移動局ＰＳ１〜ＰＳ３のうち２台ＰＳ２，ＰＳ３は、それぞれ互いに異なる基地局ＣＳ２，ＣＳ３の通信可能範囲内にあるとしている。制御部３は、第２の無線通信部２に位置登録信号が受信されると、第１の無線通信部１を制御して、通信可能な基地局ＣＳ１と公衆網ＮＷとを通じて管理センタに接続し、位置登録信号を送信した移動局ＰＳ１〜ＰＳ３の位置を前記基地局ＣＳ１に登録する。管理センタは、移動局ＰＳ１〜ＰＳ３に対する呼び出しがあった場合、位置登録された基地局ＣＳ１と無線中継装置ＲＳとを通じて移動局ＰＳ１〜ＰＳ３との間で通信を確立する。
【００２２】
本実施形態の制御部３は、移動局ＰＳ１〜ＰＳ３から送信された所定の発呼信号が第２の無線通信部２に受信された場合、第１の無線通信部１及び第２の無線通信部２をそれぞれ制御し、発呼信号を送信した移動局ＰＳ１〜ＰＳ３と基地局ＣＳ１との間で無線信号の中継を開始する。
【００２３】
また、本実施形態の記憶部４は、書き込み可能な領域であって移動局ＰＳ１〜ＰＳ３に固有のＩＤが格納される領域を有する。ＩＤは、具体的には例えばＰＳ番号やＰＳ−ＩＤである。記憶部４には、上記３台の移動局ＰＳ１〜ＰＳ３のうち２台ＰＳ１，ＰＳ２のＩＤが格納されている。
【００２４】
制御部３は、位置登録信号が第２の無線通信部２に受信されると、位置登録信号を基地局ＣＳ１に中継するとともに、位置登録信号を送信した移動局ＰＳ１，ＰＳ２のＩＤを位置登録信号から読み取り、読み取られたＩＤを記憶部４に格納されたＩＤと照合する。そして、位置登録信号から読み取られたＩＤに一致するＩＤが記憶部４に格納されていた場合、所定時間（例えば３分）が経過するまでの間は、発呼信号が第２の無線通信部２に受信されたとき、発呼信号を送信した移動局ＰＳ３のＩＤを記憶部４に格納されたＩＤと照合する。そして、発呼信号を送信した移動局ＰＳ３のＩＤに一致するＩＤが記憶部４に格納されていなかった場合、第２の無線通信部２を制御し、基地局ＣＳ１との通信の確立を拒否することを示す発信拒否信号を、発呼信号を送信した移動局ＰＳ３に送信する。つまり、ＩＤが記憶部４に格納されていない移動局ＰＳ３に対しては基地局ＣＳ１との間で無線信号を中継しない。
【００２５】
また、上記所定時間の経過後であれば、ＩＤが記憶部４に格納されていない移動局ＰＳ３に対しても基地局ＣＳ１との間で無線信号を中継する。
【００２６】
記憶部４に新規にＩＤを格納する方法としては、例えば図３に示すように、ＩＤが記憶部４に格納されていない移動局ＰＳ３から送信された登録信号が第２の無線通信部２に受信されたとき（Ｓ１〜Ｓ３）、登録信号を送信した移動局ＰＳ３のＩＤを記憶部４に格納する（Ｓ４）。登録信号は、例えば所定の着番号（例えば＃＃＃＃）での発呼信号である。移動局ＰＳ３のＩＤを記憶部４に格納した後は、通常の発呼信号を受信したときと同様に、基地局ＣＳ１と移動局ＰＳ３との間で無線信号が中継される（Ｓ５）が、上記所定の着番号は記憶部４へＩＤを格納するためのものであって接続の対象が存在しないため、中継はすぐに終了する（Ｓ６）。
【００２７】
上記構成によれば、所有者の移動局ＰＳ１，ＰＳ２のＩＤを予め記憶部４に格納しておけば、所有者の移動局ＰＳ１，ＰＳ２の位置登録信号が第２の無線通信部２に受信されてから所定時間の間は、所有者の移動局ＰＳ１，ＰＳ２に対して基地局ＣＳ１との間で無線信号が確実に中継される。また、ＩＤを記憶部４に格納された移動局ＰＳ１，ＰＳ２の位置登録信号が第２の無線通信部２に受信されても、所定時間の経過後は、ＩＤを記憶部４に格納されていない移動局ＰＳ３に対しても基地局ＣＳ１との間で無線信号が中継されるから、所有者が使用しないときには所有者以外の者が有効利用することができる。
【００２８】
（実施形態２）
本実施形態の基本構成は実施形態１と共通であるので、共通する構成については同じ符号を付して図示及び説明を省略する。
【００２９】
本実施形態では、ＩＤが記憶部４に保持されていない移動局ＰＳ３と基地局ＣＳ１との間で無線信号を中継している間に、発呼信号が第２の無線通信部２に受信された場合、発呼信号を送信した移動局ＰＳ１のＩＤを発呼信号から読み取る。そして、発呼信号を送信した移動局ＰＳ１のＩＤに一致するＩＤが記憶部４に格納されていた場合、制御部３は、第２の無線通信部２を制御し、無線信号を中継されていた移動局ＰＳ３に対し、所定のハンドオーバー信号を送信させて無線信号の中継を終了するとともに、発呼信号を送信した移動局ＰＳ１に対し、基地局ＣＳ１との間で無線信号の中継を開始する。
【００３０】
ここで、ハンドオーバー信号は、基地局ＣＳ１〜ＣＳ３から送信され移動局ＰＳ１〜ＰＳ３に対して接続の変更を要求するものであり、ハンドオーバー信号を受信した移動局ＰＳ３は、通信可能な他の基地局ＣＳ３に発呼信号を送信する。
【００３１】
上記構成によれば、ＩＤが記憶部４に格納された移動局ＰＳ１，ＰＳ２に対する無線信号の中継を、ＩＤが記憶部４に格納されていない移動局ＰＳ３に対する無線信号の中継よりも優先させることになるから、所有者が十分に使用できないという事態を回避することができる。また、ＩＤが記憶部４に格納された移動局ＰＳ１，ＰＳ２から発呼信号が送信されない限りは、ＩＤが記憶部４に格納されていない移動局ＰＳ３に対しても無線信号が中継されるから、所有者が使用しないときには所有者以外の者が有効利用することができる。
【００３２】
（実施形態３）
本実施形態の基本構成は実施形態２と共通であるので、共通する構成については同じ符号を付して図示及び説明を省略する。
【００３３】
本実施形態では、記憶部４に格納されるＩＤに優先順位が設定されている。そして、ＩＤが記憶部４に格納された移動局ＰＳ２と基地局ＣＳ１との間で無線信号を中継している間に、発呼信号が第２の無線通信部２に受信された場合、発呼信号を送信した移動局ＰＳ１のＩＤを発呼信号から読み取る。そして、発呼信号を送信した移動局ＰＳ１のＩＤに一致するＩＤが、無線信号を中継されていた移動局ＰＳ２のＩＤよりも高い優先順位で記憶部４に格納されていた場合、制御部３は、第２の無線通信部２を制御し、無線信号を中継されていた移動局ＰＳ２に対し、所定のハンドオーバー信号を送信させて無線信号の中継を終了するとともに、発呼信号を送信した移動局ＰＳ１に対し、基地局ＣＳ１との間で無線信号の中継を開始する。ハンドオーバー信号を受信した移動局ＰＳ２は、実施形態２の場合と同様に、通信可能な別の基地局ＣＳ２へ接続を変更する。記憶部４においてＩＤの優先順位を保持する方法としては、例えば図４に示すように、記憶部４においてＩＤが保持される領域Ｍを複数の領域Ｍ１〜Ｍ４に分割し、ＩＤの優先順位に応じてＩＤを格納する領域Ｍ１〜Ｍ４を区別する構成とする。
【００３４】
また、本実施形態においては、移動局ＰＳ１〜ＰＳ３から、登録信号として所定の着番号での発呼信号が送信されて第２の無線通信部２に受信されたとき、制御部３は、登録信号を送信した移動局ＰＳ１，ＰＳ２のＩＤが既に記憶部４に格納されたＩＤであれば、送信した移動局ＰＳ１，ＰＳ２のＩＤの優先順位を変更し、登録信号を送信した移動局ＰＳ３のＩＤがまだ記憶部４に格納されていないＩＤであれば、送信した移動局ＰＳ３のＩＤを番号に応じた優先順位で記憶部４に格納する。例えば、上記所定の着番号を、登録信号であることを示す部分である＃＃＃と、優先順位を示す末尾の番号１，２，…とからなる、＃＃＃１，＃＃＃２，…のようなものとする場合、末尾の番号が１であったときには優先順位を最も高く設定し、末尾の番号が２であったときには優先順位を２番目に高く設定するというように、末尾の番号が大きいほど優先順位を低く設定する。この構成により、専用の機器を用いることなく、優先順位を容易に設定することができる。
【００３５】
上記構成によれば、ＩＤが記憶部４に格納された移動局ＰＳ１，ＰＳ２の間でも、優先順位の差をつけることができる。例えば、所有者が組織である場合、重要な地位にある者の移動局ＰＳ１のＩＤの優先順位を高く設定しておくことにより、重要な地位にある者の移動局ＰＳ１に対する中継を、組織に所属する他の者の移動局ＰＳ２に対する中継よりも優先させることができる。
【図面の簡単な説明】
【００３６】
【図１】本発明の実施形態１を示すブロック図である。
【図２】同上の使用態様の例を示す説明図である。
【図３】同上において記憶部にＩＤを格納する際の制御部の動作を示すフローチャートである。
【図４】本発明の実施形態３において記憶部にＩＤの優先順位を保持する方法の一例を示す説明図である。
【符号の説明】
【００３７】
１  第１の無線通信部
２  第２の無線通信部
３  制御部
４  記憶部
ＣＳ１〜ＣＳ３  基地局
ＮＷ  公衆網
ＰＳ１〜ＰＳ３  移動局
ＲＳ  無線中継装置
【図１】
2006060485.tif 000003
【図２】
2006060485.tif 000004
【図３】
2006060485.tif 000005
【図４】
2006060485.tif 000006